(57)【要約】  通信チャネルを特性化するシステム及び方法であって、パケット期間にサイレントシンボルを送信することを含むシステム及び方法。【選択図】  図３
2013518478.tif 000002
【特許請求の範囲】
【請求項１】
通信ネットワーク上の通信チャネルを特性化する方法であって、
ａ）パケットとともに送信された少なくとも１つのサイレントシンボルをネットワークノードにおいて受信するステップと、
ｂ）前記サイレントシンボル中に前記ネットワークノードによって受信されたエネルギーの量を前記ネットワークノードにおいて求めるステップと
を含む方法。
【請求項２】
更なる動作を決定するために、前記受信されたエネルギーの量を特性化するステップを更に含む、請求項１に記載の方法。
【請求項３】
前記サイレントシンボルとともに送信された前記パケットがプリアンブルを含み、前記サイレントシンボルが前記プリアンブルの前に送信される、請求項１に記載の方法。
【請求項４】
前記サイレントシンボルが前記パケット内で送信される、請求項１に記載の方法。
【請求項５】
前記パケットが複数のデータシンボルを含み、前記サイレントシンボルが、前記パケット内で送信される１つのデータシンボルの持続時間よりも短い持続時間にわたって送信される、請求項４に記載の方法。
【請求項６】
前記受信されたエネルギーの量を特性化する前記ステップが、最初のサイレントシンボル中に受信されたエネルギーの量を、後のサイレントシンボル中に受信されたエネルギーの量と比較するステップを含む、請求項１に記載の方法。
【請求項７】
前記受信されたエネルギーの量を特性化する前記ステップが、最初のサイレントシンボル中に受信されたエネルギーの量を、
ａ）前記プリアンブル中のチャネル等化（ＣＥ）シンボル、
ｂ）データペイロード、
ｃ）エラーベクトル振幅（ＥＶＭ）プローブ、又は
ｄ）サイレントプローブ
のうちの少なくとも１つと比較するステップを含む、請求項１に記載の方法。
【請求項８】
前記サイレントシンボルが前記パケットの末尾の後に生じる、請求項１に記載の方法。
【請求項９】
前記パケットがプリアンブル及びペイロードを含み、前記サイレントシンボルが前記プリアンブルと前記ペイロードとの間に送信される、請求項１に記載の方法。
【請求項１０】
前記サイレントシンボル中は、前記通信ネットワーク内のいずれのノードによってもパワーが伝送されない、請求項１に記載の方法。
【請求項１１】
前記更なる動作が、前記サイレントシンボル中に検出されるノイズを低減するためにターゲット低減技術を使用することを含む、請求項１に記載の方法。
【請求項１２】
減衰期間中における前の送信機の寄与を求めるステップを更に含む、請求項１に記載の方法。
【請求項１３】
受信され特性化された前記エネルギーの量から、前記減衰期間中における前の送信機の寄与を減ずるステップを更に含む、請求項１２に記載の方法。
【請求項１４】
送信を行う次のノードの立ち上げ中に与えられるエネルギーの量を求めるステップを更に含む、請求項１に記載の方法。
【請求項１５】
受信され特性化された前記エネルギーの量から、前の送信機の立ち上げ中に与えられたエネルギーを減ずるステップを更に含む、請求項１４に記載の方法。
【請求項１６】
ＭｏＣＡ通信ネットワーク上の通信チャネルを特性化する方法であって、
ａ）ＭｏＣＡネットワークのネットワークノードにおいてネットワークコーディネータから命令を受信して、少なくとも１つのサイレントシンボルを送信するステップと、
ｂ）前記ネットワークノードから少なくとも１つのサイレントシンボルを送信するステップと
を含む、方法。
【請求項１７】
前記サイレントシンボルの持続時間が、同じパケット内で送信されるデータシンボルの持続時間より短い、請求項１６に記載の方法。
【請求項１８】
前記サイレントシンボルの持続時間が、同じパケット内で送信されるデータシンボルの持続時間より長い、請求項１６に記載の方法。
【請求項１９】
前記サイレントシンボルを送信するステップが、プリアンブルを含むパケットであって前記プリアンブルの前に前記サイレントシンボルが送信されるパケットを送信するステップを含む、請求項１６に記載の方法。
【請求項２０】
前記サイレントシンボルがＩＦＧ（フレーム間ギャップ）と並行しており、前記サイレントシンボルは、存在するエネルギーの量を受信ノードが計測できる期間を含む、請求項１９に記載の方法。
【請求項２１】
前記サイレントシンボルがペイロードの末尾の後に送信される、請求項１６に記載の方法。
【請求項２２】
前記サイレントシンボルがプリアンブルとペイロードとの間に送信される、請求項１６に記載の方法。
【請求項２３】
前記サイレントシンボル中は、前記ネットワーク中のどのノードによってもパワーが伝送されない、請求項１６に記載の方法。
【請求項２４】
ネットワークの通信チャネルを特性化する方法であって、
ａ）前記ネットワークのノードにおいて、少なくとも１つの副搬送波をペイロードシンボルにおいてゼロ化するステップと、
ｂ）ゼロ化された前記ペイロードシンボルを伴う前記少なくとも１つの副搬送波を送信ノードから送信するステップと
を含む、方法。
【請求項２５】
前記送信ノードが、所定のシーケンス中の特定の副搬送波をゼロ化する、請求項２４に記載の方法。
【請求項２６】
前記送信ノードが、連続した被送信シンボルの各々について幾つかの異なる副搬送波をゼロ化する、請求項２５に記載の方法。
【請求項２７】
ゼロ化された前記副搬送波からなるシーケンスが、通信に使用される副搬送波の全てを監視するように構成され得る、請求項２６に記載の方法。
【請求項２８】
ゼロ化された前記副搬送波からなるシーケンスが、前記ネットワーク用の通信スペクトルの一部の監視に集中するように設計され得る、請求項２６に記載の方法。
【請求項２９】
前記シーケンスが時間の経過とともに無制限に繰り返される、請求項２８に記載の方法。
【請求項３０】
前記シーケンスが、前記通信チャネル上で観測された状況に従って修正される、請求項２８に記載の方法。
【請求項３１】
新しい又は修正されたシーケンスが複数のネットワークノード間に分散され得る、請求項３０に記載の方法。
【請求項３２】
ネットワークの通信チャネルを特性化する方法であって、
ａ）前記ネットワークのノードにおいて、前記ネットワークの別のノードから送信された少なくとも１つのサイレント副搬送波を受信するステップであって、前記サイレント副搬送波のペイロードシンボルがゼロ化されているステップと、
ｂ）前記少なくとも１つのサイレント副搬送波の周波数ビンにおいて受信されたエネルギーを、前記ネットワークの前記受信ノードにおいて計測するステップと
を含む、方法。
【請求項３３】
ネットワークの通信チャネルを特性化する方法であって、
ａ）ネットワークコーディネータからネットワークノードに命令を送信するステップであって、前記命令は、前記ネットワークノードにサイレントシンボルの送信を命令する、ステップと、
ｂ）前記サイレントシンボルが送信された副搬送波上に存在するエネルギーの量を示す情報を前記ネットワークノードから受信するステップと
を含む、方法。
【請求項３４】
前記副搬送波上に干渉が存在するかどうかを前記エネルギーの量から判断するステップを更に含む、請求項３３に記載の方法。
【請求項３５】
前記副搬送波上に所定量を超える干渉がある場合、前記副搬送波によって情報を送信しないように前記ネットワークノードに命令するステップを更に含む、請求項３４に記載の方法。
【請求項３６】
ネットワークの通信チャネルを特性化する方法であって、
ａ）ネットワークコーディネータからネットワークノードに命令を送信するステップであって、前記命令は、前記ネットワークノードにサイレント副搬送波を送信するように命令する、ステップと、
ｂ）前記サイレント副搬送波が送信された副搬送波上に存在するエネルギーの量を示す情報を前記ネットワークノードから受信するステップと
を含む、方法。
【請求項３７】
前記副搬送波上に干渉が存在するかどうかを前記エネルギーの量から判断するステップを更に含む、請求項３６に記載の方法。
【請求項３８】
前記副搬送波上に所定量を超える干渉がある場合、前記副搬送波によって情報を送信しないように前記ネットワークノードに命令するステップを更に含む、請求項３７に記載の方法。
【発明の詳細な説明】
【技術分野】
【０００１】
[0001]本出願は、２０１０年１月２６日に出願された米国仮特許出願第６１／２９８４５９号の利益を主張するものであり、この仮出願の開示内容はその全体が参照によって本明細書に組み込まれている。
【０００２】
[0002]本開示の方法及び装置は、通信ネットワークを介した通信に関し、特に、いくつかの実施形態は、通信ネットワークの特性化に関する。
【背景】
【０００３】
[0003]当業者によって十分に理解される多くの理由から、通信ネットワークに存在する干渉の性質を特性化（ｃｈａｒａｃｔｅｒｉｚｅ）することは重要である。通信ネットワークのノードがそのネットワークの状態（存在する干渉の量を含む）を特性化する１つの方法は、周知のＭｏＣＡ（同軸ケーブルマルチメディア協会）規格に従って行われているように、プローブを送信することによるものである。しかしながら、プローブは、貴重なリソースを消費し、また、短く散発的な複数の期間に起こるイベント（一般に「バースト」と呼ばれる）を識別するために頻繁に送信されることを要する可能性がある。
【０００４】
[0004]従来のネットワークでは、フレーム間ギャップ（ｉｎｔｅｒ−ｆｒａｍｅ  ｇａｐ：ＩＦＧ）が送信の合間に生じる。ＩＦＧは、通常、できるだけ短く計算される。最小の時間量は、チャネルが最後の送信から静か（ｑｕｉｅｔ）になり（すなわち、送信機が停止し）、そのノードに付随する受信機が作動するために必要な時間量によって決定される。すなわち、ノードが送信を行う時刻と、そのノードが受信の準備を完了する時刻との間に必要とされる有限の時間量がある。更に、１つのフレーム中に受信を行っているノードが受信機を停止させ、送信機を作動させて送信の準備をするために必要とされる有限の時間量がある。
【概要】
【０００５】
[0005]複数のノード間で送信される情報を搬送する個別の副搬送波（サブキャリア）を提供するために直交周波数分割多重方式（ＯＦＤＭ）を使用するいくつかのネットワークでは、各副搬送波が他の副搬送波と互いに直交する。各副搬送波上に存在するノイズも通常は固有のものであるが、ブロードバンドノイズはいくつかの副搬送波と干渉し得る。少なくとも１つの「サイレントシンボル」を送信することによって、そのシンボルを搬送する副搬送波上に存在するノイズ（又は干渉）の量を計測することができる。サイレントシンボルは、本質的には、そのシンボルの間はネットワークのいずれのノードからもエネルギーが伝送されないというシンボル（又はそのシンボルを送信するために必要な期間に等しい期間）である。周知のＭｏＣＡネットワークなどのネットワークでは、ネットワークコーディネータを用いて、各副搬送波上のトラフィックがスケジュールされる。サイレントシンボルの送信をスケジュールすることによって、ネットワークコーディネータは、ネットワークの各ノードがサイレントシンボルの間、リッスン（ｌｉｓｔｅｎ）し、各ノードがネットワークのノイズフロアを求められるようにすることが可能である。本開示の方法及び装置の一実施形態では、受信ノードはＩＦＧの静かな（ｑｕｉｅｔ）期間（すなわち、送信機がもはやエネルギーを出力しておらず、しかも次の送信機がまだ送信を開始していない期間）中に存在するエネルギーを計測する。更に、ネットワークコーディネータは、ある副搬送波をサイレント副搬送波に指定することができ、従って、ネットワークの各ノードがその副搬送波上のノイズを計測できるようにすることができる。その計測値は、その後、他の副搬送波の干渉量又はノイズフロアレベルに関する推定値を生成するために使用することができる。
【０００６】
[0006]本開示の方法及び装置は、１つ以上の様々な実施形態に従って、以下の図面を参照して説明される。図面は、図示の目的のためのみに提供され、本開示の方法及び装置のいくつかの実施形態の例を単に示すにすぎない。これらの図面は、読者が本開示の方法及び装置を容易に理解するために提供されている。これらの図面は、特許請求された発明の広さ、範囲、又は利用性を限定するものとして考慮されないものとする。図示の明確さ及び容易さのため、これらの図面が必ずしも一定の縮尺で作製されないことに留意すべきである。
【図面の簡単な説明】
【０００７】
【図１】本開示の方法及び装置の一実施形態に係るノードの簡易ブロック図である。
【図２】（ａ）は、第１のパケット及び関連するフレーム間ギャップの図であり、（ｂ）は、第２のパケット及び関連するフレーム間ギャップの図であり、（ｃ）は、第３のパケット並びに関連するサイレントシンボル及びフレーム間ギャップの図である。
【図３】本開示の方法と本開示の装置の機能とに関する一実施形態のフローチャートである。
【詳細な説明】
【０００８】
[0012]図１は、本開示の方法及び装置の一実施形態に係るノードの簡易ブロック図である。ノード１００は、中央処理装置（ＣＰＵ）１０２、メモリ１０４、送信機１０６及び受信機１０８を含む。
【０００９】
[0013]本開示の方法及び装置の一実施形態では、ＭｏＣＡネットワークなどの通信ネットワーク内の受信ノード、例えばノード１００は、送信されたパケットの通常終了後の１つ又は２つの追加シンボル期間にわたって、受信したエネルギーをデジタル化し続けてもよい。これらの追加シンボル期間は、「サイレントシンボル」と呼ぶことができる。
【００１０】
[0014]ある実施形態では、「サイレントシンボル」が「フレーム間ギャップ」（ＩＦＧ）と並行して送信される。図２（ａ）は、プリアンブル２０５の前にＩＦＧ２０３を有する第１のパケット２０１を示す。ペイロード２０７はプリアンブル２０５の後に続く。図２（ｂ）は、プリアンブル２１１及びペイロード２１３を有する第２のパケット２０９を示す。ＩＦＧ２１５はペイロード２１３の後に続く。図２（ｃ）は、プリアンブル２１９と、それに続くサイレントシンボル２２１と、それに続くペイロード２２３を有する第３のパケット２１７を示す。このペイロードの後には、ＩＦＧ２２５が続く。
【００１１】
[0015]本開示の方法及び装置の一実施形態によれば、図２（ａ）及び図２（ｂ）に示されるＩＦＧ２０３及び２１５は、チャネルが最後の送信から静か（ｑｕｉｅｔ）になる（すなわち、送信機が停止する）ために必要な時間量よりも長い。そのような実施形態では、ＩＦＧ２０３、２１５はサイレントシンボルと並行する。受信ノードは、サイレントシンボルの期間に存在するエネルギーの量を計測する。そのような実施形態の１つでは、ＩＦＧ２０３、２１５は、前の送信機が完全に停止することを確実にするために必要な時間よりも長い。これは、ネットワークのノードが、送信を行うネットワークのノードのいずれの影響も受けずに存在するエネルギーの計測を行うことが可能な最小の静かな期間を考慮したものである。この他に、サイレントシンボル２２１は、フレーム内の任意の所定の箇所、例えば図２（ｃ）に示されるようにプリアンブル２１９とペイロード２２３の間、において送信することができる。
【００１２】
[0016]サイレントシンボルは、意図された送信機からのエネルギーをほとんど、あるいは全く含まない。従って、受信ノードは、ノイズフロアと推定されるもの（すなわち、現在送信を行っているノードを有さないチャネル）をデジタル化することができる。ある実施形態によれば、受信ノードは、サイレントシンボルに対してスペクトル解析（例えば、離散フーリエ変換（ＤＦＴ））を実行する。別の実施形態では、受信ノードは、他の処理を実行して、サイレントシンボル中に受信したエネルギーを解析する。
【００１３】
[0017]一部の例では、受信されるエネルギーは、過渡イングレス干渉（ｔｒａｎｓｉｅｎｔ  ｉｎｇｒｅｓｓ  ｉｎｔｅｒｆｅｒｅｎｃｅ）からのエネルギーを含む。そのような例の１つでは、干渉は、携帯電話機（例えばモバイル用グローバルシステム（ＧＳＭ）電話機）からのナローバンド干渉であってよい。この干渉は、送信されたパケットのペイロード中よりもサイレントシンボル中のほうが、より容易に識別することができる。干渉をより容易に識別できるので、干渉の検出がより容易となる。また、ターゲット干渉低減技術（目標を定めた干渉低減技術）を用いるために干渉を正確に特性化することも、より容易になる。
【００１４】
[0018]ある実施形態では、ネットワークコーディネータは、連続する複数の送信の間にスケジュールされる時間量（すなわち、ＩＦＧ２０３、２１５の持続時間）を増加することにより、干渉特性化処理を支援する。ネットワークコーディネータは、この支援を、（１）パケット送信の後又は前のいずれかにおいてＩＦＧ２０３、２１５の持続時間を増加すること、（２）送信されるパケットの直後に端末割当てユニット（Ｔｅｒｍｉｎａｌ  Ａｌｌｏｃａｔｉｏｎ  Ｕｎｉｔ：ＴＡＵ）をスケジュールすること、あるいは（３）パケット内の１つ又は２つの追加シンボルが送信される時間をスケジュールすること、によって行うことができる。
【００１５】
[0019]サイレントシンボルは、ペイロード中のデータシンボルの持続時間よりも短い（又は長い）持続時間を有することができる。例えばＭｏＣＡ２の場合、データシンボルは５１２サンプルの持続時間を有するが、受信ノードは、任意で、より短いサイレントシンボル中にエネルギーを受信することができる。ある実施形態では、サイレントシンボルは２５６サンプルである。別の実施形態では、サイレントシンボルは１２８サンプルである。しかしながら、これらは単に例として示されたものにすぎず、任意の数のサンプルを使用してよい。
【００１６】
[0020]ある実施形態では、サイレントシンボルが被送信パケットの末端の後に送信されるが、その代わりに、サイレントシンボルがプリアンブルの前に生じてもよい。別の実施形態では、サイレントシンボルをそのパケット内で送信することができる。そのような実施形態の一つでは、サイレントシンボルがプリアンブルとペイロードとの間に送信される。あるいは、サイレントシンボルがペイロードシンボル同士の間に配置される。ある実施形態では、他のノードが実質的に同じ目的のために同じサイレントシンボルを受信する。
【００１７】
[0021]ある実施形態では、受信ノードは、現在のサイレントシンボル中に計測されたエネルギーの量と、前の期間中に計測されたエネルギーの量との比較を、例えばプリアンブル内のチャネル等化（ＣＥ）シンボル、データペイロード、エラーベクトル振幅（ＥＶＭ）プローブ、サイレントプローブ又は他のサイレントシンボルから行う。この比較により、過渡干渉の検出と特性化がより容易になる可能性がある。
【００１８】
[0022]ある実施形態では、前の送信機の減衰が特性化される。前の送信機の減衰を特性化することによって、減衰期間中に行われた任意の計測から前の送信機の寄与を減ずることができる。減衰を特性化することで、どのノードも送信を行っていないときに受信ノードがチャネルを特性化してそのチャネル上のエネルギーレベルを検出することができるＩＦＧ中の時間量が増える。更に、送信を行う次のノードの立ち上げ（ｒａｍｐ  ｕｐ）も特性化してよく、それにより、送信ノードによって注入されるエネルギーがないときに存在するエネルギーの量をノードが求めるために必要な時間量を更に削減してもよい。すなわち、ＩＦＧの前に送信を行うノードのエネルギー寄与及びＩＦＧの直後に送信を行うノードのエネルギー寄与を特性化することによって、別のノードがそのＩＦＧ中に行う計測からそれらの寄与を減ずることができる。
【００１９】
[0023]図３は、本開示の方法及び本開示の装置の機能の一実施形態の簡略フローチャートである。図３に示されるように、受信ノードは、パケット及びサイレントシンボルを受信する（ステップ３０１）。受信ノードは、サイレントシンボル中にそのノードによって受信されたエネルギーの量を求める（ステップ３０３）。次いで、受信ノードは、受信されたエネルギーの量を特性化し（ステップ３０５）、更なる動作、例えば検出されるかもしれない干渉の影響の低減など、を受信ノードが決定（ステップ３０７）できるようにする。そのような実施形態の１つでは、受信されたエネルギーの量を特性化するステップは、チャネル上に干渉があるかどうかを判断するステップを含む。干渉がある場合、得られる動作は、干渉低減技術を適用することであってもよい。
【００２０】
サイレント副搬送波
[0024]送信ノードは、１つ以上の副搬送波をペイロードシンボルにおいてゼロ化してもよい。シンボルをゼロ化することによって、これらのゼロ化副搬送波が送信されないことは、当業者であれば理解できるはずである。受信ノードは、これらの送信されない副搬送波からなる周波数ビンにおいて受信されるエネルギーを計測することができる。そのエネルギーがノイズフロアであると推定できる。この周波数に存在する過渡イングレス干渉は、より容易に識別し、検出し、特性化することができる。ある実施形態では、ノードは、ある既知又は所定のシーケンスにおいて特定の副搬送波をゼロ化する。ある実施形態では、そのシーケンスがシンボルごとに繰り返される。別の実施形態では、そのシーケンスがシンボル間で変化する。そのような実施形態の１つでは、送信ノードは、連続する被送信シンボルの各々について幾つかの異なる副搬送波をゼロ化する。
【００２１】
[0025]別の実施形態では、送信機は、連続する被送信シンボルの各々よりも少ない頻度で特定の副搬送波を、例えばある所定のパターンで、ゼロ化する。このゼロ化された副搬送波からなるシーケンスは、通信に使用される副搬送波の全てを監視するように構成することができる。あるいは、そのシーケンスは、通信スペクトルのうち干渉による影響を最も受けやすい部分の監視に集中するように設計することができる。そのシーケンスは、連続的な監視を提供するように、時間の経過とともに無制限に繰り返すことができる。更に、そのシーケンスは、通信チャネル上で観測された状況に従って修正することができる。新しい又は修正されたシーケンスを、ネットワークノード間に分散することができる。ある実施形態では、他のノードが、実質的に同じ目的のために、同じサイレント副搬送波中に存在するエネルギーの量を求める。
【００２２】
[0026]既知の干渉低減技術のうちの１つは、影響を受けた副搬送波上のデータビットの送信を、例えば過渡干渉の検出に応じて、回避する。受信ノードは、これらの周波数ビン（「サイレント副搬送波」と呼ばれる）における受信エネルギーを監視して、過渡干渉が遷移して無くなった時点を判定してもよい。
【００２３】
[0027]過渡干渉を検出して特性化した後、ネットワークノードは、過渡干渉に対処するために送信ノードが１つ以上の副搬送波の送信を停止すべきであることを決定してもよい。特に、ネットワークコーディネータは、検出された過渡干渉に応じて、特定のノードを特定の副搬送波に割り当ててもよい。この場合、受信ノードは、サイレント副搬送波を考慮することなくパケットを受信して復号することになる。しかしながら、受信ノードは、過渡干渉が遷移して無くなった時点を判定するために、これらのサイレント副搬送波上のエネルギーを受信し、計測し、監視し続けるべきである。干渉の過渡的な性質によっては、ネットワークノードは、この情報を用いて、サイレント副搬送波を通常の使用に戻すことができる時点を判断してもよい。
【００２４】
[0028]本開示の方法及び装置の様々な実施形態を上述したが、これらは例示として提示したものに過ぎず、特許請求された発明を限定すべきものではないことを理解されたい。同様に、様々な図は、本開示の方法及び装置のための例示のアーキテクチャ構成又は他の構成を示している可能性がある。この例示は、本開示の方法及び装置に含まれうる特徴及び機能を理解する際の助けとなる。特許請求された発明は、図示された例示のアーキテクチャ又は構成に限定されるものではなく、むしろ、望ましい特徴は、様々な代替アーキテクチャ及び構成を用いて実施することができる。実際、本開示の方法及び装置の望ましい特徴を実施するために代替の機能的、論理的又は物理的な分割及び構成をどのように実施できるかは、当業者にとって明らかであろう。また、本明細書に記載された以外の多数の様々な要素モジュール名を様々な要素に適用できる。更に、フロー図、動作の説明及び方法の請求項に関しては、本願に示される工程の順序は、文脈が別段の指示をしない限り、様々な実施形態が同じ順序で記載された機能を実行するように実施されることを強制しない。
【００２５】
[0029]本開示の方法及び装置を様々な典型的な実施形態及び実施例に関して説明しているが、個々の実施形態の一つ以上で説明された様々な特徴、態様及び機能は、これらの適用可能性がそれらが説明された特定の実施形態に限定されないことを理解されたい。よって、特許請求された発明の広がり及び範囲は、上述のいかなる典型的な実施形態によっても限定されるべきではない。
【００２６】
[0030]本明細書で使用された用語及び語句、並びにこれらの変形は、特に他のように述べられていない限り、限定的なものではなく、制限のないものとして解釈されるべきである。上記の例として、用語「含む」は、「限定なしに含む」などを意味するものとして解釈されるべきである。用語「例」は、議論中の事項の典型的な例を提供するために使用され、その事項の網羅的又は限定的なリストを提供するために使用されるわけではない。用語「一つ」（「ａ」又は「ａｎ」）は、「少なくとも一つ」、「一つ以上」などを意味するものとして解釈されるべきである。「従来の」、「伝統的な」、「通常の」、「標準の」、「既知の」及び同様の意味の用語といった形容詞は、所与の期間に対して説明される事項又は所与の時点で利用可能な事項に限定されるものとして解釈されるべきではなく、代わりに、現在又は将来のいずれかの時点で利用可能又は知られている可能性のある、従来の、伝統的な、通常の、又は標準の技術を包含するように解釈されるべきである。同様に、本明細書が、当業者にとって明白又は既知であろう技術を参照するとき、そのような技術は、現在又は将来のいずれかの時点で当業者にとって明白又は既知である技術を包含する。
【００２７】
[0031]接続詞「及び」で連結された一群の事項は、各事項の全てがその群に存在することを要求するものと解釈すべきではなく、むしろ、明記されていない限り、「及び／又は」と解釈すべきである。同様に、接続詞「又は」で連結された一群の事項は、その群内での相互排他性を要求するものと解釈すべきではなく、むしろ、明記されていない限り、ここでも「及び／又は」と解釈すべきである。更に、本開示の方法及び装置の事項、要素又は部品は、単数形で記述され又は請求項に記載されるかもしれないが、単数形に限定することが明記されていない限り、複数形がそれらの方法及び装置の範囲内にあることが意図されている。
【００２８】
[0032]一部の例における「一つ以上の」、「少なくとも」、「ただし〜に限定されない」、又は他の同様の語句のような拡張語及び拡張句の存在は、このような拡張句が存在しない例において、より狭義の例が意図又は要求されることを意味するように解釈されるべきではない。用語「モジュール」の使用は、モジュールの一部として説明又は請求項に記載された構成要素又は機能が、全て共通のパッケージ内に配置されることを意味するわけではない。実際、モジュールの種々の構成要素のうちのいずれか又は全部は、それが制御ロジックであれ他の構成要素であれ、単一のパッケージに組み込み、あるいは別個に維持することができ、更に、複数のグループやパッケージで流通し、あるいは複数の場所で流通してもよい。
【００２９】
[0033]更に、ここに記載された様々な実施形態は、例示のブロック図、フローチャート、及び他の図面を用いて説明されている。本明細書を読めば当業者には明らかになるように、図示された実施形態及びそれらの様々な代案は、図示された例に限定されることなく実施することができる。例えば、ブロック図及びそれらに付随する説明は、特定のアーキテクチャ又は構成を義務づけるものとして解釈されるべきではない。
【図１】
2013518478.tif 000003
【図２】
2013518478.tif 000004
【図３】
2013518478.tif 000005
【国際調査報告】
2013518478.tif 000006